(57)【特許請求の範囲】
【請求項１】
角形袋状の合成樹脂製の保護カバーであって、
下方に開口するカバー本体の開口端部には、四周辺部の少なくとも三辺部に周方向に連続する紐通し孔が形成され、この紐通し孔に絞り紐が挿通されて、この絞り紐の両端部がそれぞれ外側に引き出され、該引き出し端部に面ファスナー片が取着されるとともに、少なくとも一辺部の開口端部外側面には面ファスナー部材が付設されてなり、該面ファスナー部材に対し前記面ファスナー片が係合可能であり、この係合により前記絞り紐の締め付け状態を保持するように設けられてなることを特徴とする保護カバー。
【請求項２】
前記カバー本体の開口端部の三辺部に有する紐通し孔に絞り紐が挿通されて、該絞り紐の両端部がそれぞれ他の一辺部の側の隅角部から外側に引き出されており、前記他の一辺部の開口端部外側面にテープ状の面ファスナー部材が付設され、前記絞り紐の両引き出し端部に取着された面ファスナー片が前記面ファスナー部材に対し係合可能に設けられてなる請求項１に記載の保護カバー。
【請求項３】
前記テープ状の面ファスナー部材が、少なくとも一辺部の開口端部に沿って付設され、該面ファスナー部材の長さ方向の所要の位置に、係合位置決め用の目印が形成されてなる請求項１または２に記載の保護カバー。
【請求項４】
前記絞り紐の引き出し端部には、該端部の紐通し孔への入り込みを規制するストッパー片が取着されてなる請求項１〜３のいずれか１項に記載の保護カバー。
【発明の詳細な説明】
【０００１】
【発明の属する技術分野】
本発明は、パレット上に積載された包装物等を包被し保護するための防汚、防塵用の保護カバーに関するものである。
【０００２】
【従来の技術と発明が解決しようとする課題】
液晶パネルの表面材に使用されるガラス板や電子機器部品等のように汚れや塵の付着のないクリーンな状態に保持することが求められる製品部品は、その輸送においても、汚れや塵の付着を避ける必要がある。
【０００３】
従来、前記ガラス板等の汚れや塵を嫌う製品部品の輸送においては、該部品を輸送用のプラスチックケースに収納し包装した上で、これらの包装体をパレット上に並列し積み重ねて集合状態で積載し、必要に応じてバンド掛けを行って、この積載包装物の全体をストレッチフィルムやシュリンクフィルム等により巻回して包装し、汚れや塵の付着を防止するようにしていた。
【０００４】
しかしながら、前記フィルムの包装は、その包装作業が面倒で手数がかかり、しかも多量のフィルムを使用することになり、不経済である上、包装状態が不安定で、輸送中に破れが生じるおそれがあり、積載包装物の保護も充分なものではなかった。また、輸送先でフィルムの包装を解除した際に、多量のゴミが発生するという問題もあった。
【０００５】
そこで、パレット上に積載されている積載包装物に対し上方より包被できるように下方に開口した角形袋状のカバーを用い、これを繰り返し使用することとしたものである。この場合において、積載包装物に被せたカバーの下部開口からの塵等の侵入を防止できるように、該開口端部を例えばロープやバンド等で絞るように結束し固定する必要がある。
【０００６】
ところが、単に、前記開口端部に取着した絞り用のロープやバンドの両端部を結合するだけでは、その余った端部分がパレット側面に垂れ下がることになって、フォークリフトによる移動の邪魔になるばかりか、この垂れ下がり端部分が床面に接触したりして汚れや塵が付着し、内部の積載包装物にその汚れや塵が付着することにもなる。また、内容物や作業者によって締め付け度合いが異なり易いものである。
【０００７】
本発明は、上記に鑑みて、パレット上に積載されている包装物等に対し上方より包被するカバーを用いる場合において、下端開口を閉塞するための絞り紐の仕舞いがよくて、余った端部が垂れ下がることがないように処理できる包装物等の防汚、防塵用の保護カバーを提供するものであり、さらには絞り紐の締め付け度合いを均一化するのが容易な保護カバーを提供するものである。
【０００８】
【課題を解決するための手段】
上記の課題を解決する本発明の保護カバーは、角形袋状の合成樹脂製のカバーであって、下方に開口するカバー本体の開口端部には、四周辺部の少なくとも三辺部に周方向に連続する紐通し孔が形成され、この紐通し孔に絞り紐が挿通されて、この絞り紐の両端部がそれぞれ外側に引き出され、該引き出し端部に面ファスナー片が取着されるとともに、少なくとも一辺部の開口端部外側面には面ファスナー部材が付設されてなり、該面ファスナー部材に対し前記面ファスナー片が係合可能であり、この係合により前記絞り紐の締め付け状態を保持するように設けられてなることを特徴とする。
【０００９】
この保護カバーによれば、パレット上に積載された包装物等に対して上方より包被させて、カバー本体の開口端部の紐通し孔に挿通されている絞り紐を、外側に引き出されている両端部を引っ張って、前記開口端部を包装物等の下端部に密接させるように絞り、さらに前記両引き出し端部の面ファスナー片を少なくとも一辺部の開口端部外側面に付設されている面ファスナー部材に係合させて固定する。これにより、その包被作業を容易に行うことができ、かつ下端開口を確実に閉塞できて、汚れや塵などの侵入を防止でき、内部の包装物等を良好に保護できる。
【００１０】
特に、前記絞り紐の両引き出し端部は、前記面ファスナーの係合により、少なくとも一辺部の開口端部外側面に沿って固定されるため、パレット側面に垂れ下がる等のおそれがなく、仕舞いがよく、フォークリフトによる移動の邪魔になることがないばかりか、床面に接触して汚れや塵が付着するおそれもない。
【００１１】
しかも、前記絞り紐は、前記面ファスナーの係合により固定するので、内部の包装物等の形態やサイズ等に応じて、それに対応するように前記の係合位置を無段階に調整できる。
【００１２】
前記の保護カバーとして、前記カバー本体の開口端部の三辺部に有する紐通し孔に絞り紐が挿通されて、該絞り紐の両端部がそれぞれ他の一辺部の側の隅角部から外側に引き出され、前記他の一辺部の開口端部外側面にテープ状の面ファスナー部材が付設され、前記絞り紐の両引き出し端部に取着された面ファスナー片が前記面ファスナー部材に対し係合可能に設けられてなるものとすることができる。この場合、前記絞り紐の引き出し端部の係合固定を一辺部の側で行え、作業性が向上する。
【００１３】
また、前記テープ状の面ファスナー部材が、少なくとも一辺部の開口端部に沿って付設され、該面ファスナー部材の長さ方向の所要の位置に、係合位置決め用の目印が形成されてなるものが好ましい。これにより、絞り紐の両引き出し端部の面ファスナーによる係合固定位置を前記目印に合わせて設定でき、したがって常に同じ位置で引き出し端部を固定でき、作業者が違っても絶えず一定の締め付け度合いとなる。
【００１４】
なお、前記絞り紐の引き出し端部には、該端部の紐通し孔への入り込みを規制するストッパー片が取着されてなるものが、包被作業上好ましい。
【００１５】
【発明の実施の形態】
次に本発明の実施の形態を図面に示す実施例に基づいて説明する。
【００１６】
図１は本発明の保護カバー（Ａ）の１実施例を示す斜視図であり、図２はその一部の拡大斜視図、図３は紐通し孔部分の拡大断面図、図４は同保護カバーの使用状態の斜視図、図５はその一部の拡大斜視図である。
【００１７】
図において、（１）は主としてポリエステル繊維等の合成繊維の編織布に防汚コーティングを施した可撓性を有するシート材から縫製手段により形成されてなるカバー本体であり、パレット上に並列して直方体状をなすように集合状態で積載された包装物等に対して上方より包被できるように下方に開口する角形袋状に形成されている。図のカバー本体（１）は、図１の拡開状態において、胴部（２）の相対向する側面間の間隔が下端開口（３）の側ほど大きくなるテーパ状をなし、さらにその上端部では天面部（４）に向かって漸次幅が狭くなるように傾斜角度を変化させた角錐台形状をなしている。このカバー本体（１）は、例えば、一方の相対向する側面部とを一体に連続形成した部材と、他方の相対向する二つの側面部とを、それぞれ前記シート材から裁断しておき、これを縫製手段により接合することにより形成できる。
【００１８】
前記カバー本体（１）の下端開口を形成する開口端部（５）には、四周の各辺部のうちの少なくとも三辺部、例えば正面の一辺部（ａ）を除いて左右及び背面の隣接する三辺部の各開口端部（5b）（5c）（5d）には、それぞれ端縁の折り返し縫製によって周方向に連続する筒状をなす紐通し孔（６）が形成されており、該紐通し孔（６）の両端は、残余の他の一辺部、つまり前記正面の一辺部（ａ）の側に開口せしめられている。（6a）（6b）はその開口を示す。
【００１９】
そして、前記紐通し孔（６）には、図のようにビニロン製のロープ等よりなる絞り紐（７）が挿通せしめられており、その両端部（7a）（7b）が前記開口（6a）（6b）から、前記他の一辺部（ａ）の側にそれぞれ引き出されている。この絞り紐（７）の引き出し端部（7a）（7b）には、それぞれ該紐の長さ方向の任意の位置に止定できるプラスチック製のストッパー片（８）が取着されており、該引き出し端部（7a）（7b）が前記紐通し孔（６）に入り込むのを規制できるようになっている。前記引き出し端部が前記紐通し孔に入り込むのを規制する手段としては、前記ストッパー片（８）以外の構成を利用することもできる。例えば、結び目を利用することもできる。
【００２０】
そして、前記引き出し端部（7a）（7b）には、それぞれ前記ストッパー片（８）より先端側に、所要の幅、長さを持った面ファスナー片（9a）（9b）が取着されている。
【００２１】
一方、前記正面の一辺部（ａ）における開口端部（5a）の外側面には、所要の幅で所要の長さのテープ状をなす面ファスナー部材（10）が、該開口端部（5a）に沿ってその幅方向の略中央部に縫製手段により取着されており、前記引き出し端部（7a）（7b）の面ファスナー片（9a）（9b）を係合止定できるように設けられている。
【００２２】
前記面ファスナー片（9a）（9b）と面ファスナー部材（10）とは、絡合パイル面とこれに係合自在な鉤状針による絡合針面との対をなす二つの部材からなる係合自在な面ファスナー（マジックテープ：登録商標）であって、その一方の部材（通常、絡合パイル面側の部材）が開口端部（5a）の前記面ファスナー部材（10）として、他方の部材（通常、絡合針面側の部材）が前記面ファスナー片（9a）（9b）として使用されて、互いに係合可能に設けられる。
【００２３】
前記の面ファスナー部材（10）の幅や長さは、係合強度等を考慮して適宜設定でき、例えば、幅は２５ｍｍ、長さは５００ｍｍ程度とされる。また、前記面ファスナー片（9a）（9b）は、幅２５ｍｍ、長さ１００ｍｍとされる。
【００２４】
前記のように正面の一辺部（ａ）の開口端部（5a）に沿ってその外側面の略中央部に付設された前記面ファスナー部材（10）の長さ方向のセンター位置等の所要の位置に、図２に拡大して示すように、前記面ファスナーの係合位置決め用の目印（11）を形成しておくのが好ましい。この目印（11）は、センターおよびその左右に一定間隔に形成した目盛りのほか、係合位置を任意に設定できるものであればどのような目印であってもよい。
【００２５】
図の（12）は、天面部（４）の四隅部に付設された吊り下げ用の環状部材であり、パレット上の積載包装物に対する包被作業、離脱作業を吊り下げ手段を利用して行えるように設けられている。
【００２６】
上記の構成による保護カバー（Ａ）は、図４に示すように、パレット（Ｂ）上に積載されている包装物（Ｃ）に対し上方より包被して使用する。この際、積載包装物（Ｃ）に包被した状態で、前記のように開口端部（５）の紐通し孔（６）に挿通されている絞り紐（７）を、両引き出し端部（7a）（7b）を引っ張って開口端部（５）を包装物（Ｃ）の下端部に密接させるように絞り、さらに前記両引き出し端部（7a）（7b）の面ファスナー片（9a）（9b）を、それぞれ一辺部（ａ）の開口端部（5a）の外側面に付設されている面ファスナー部材（10）に係合させて該開口端部（5a）に沿って固定する（図５）。この際、前記目印（11）を利用して係合位置を定めることにより、包装物（Ｃ）に対する開口端部（５）の締め付け度合いを略一定にできる。
【００２７】
したがって、保護カバー（Ａ）の包被作業を容易に行うことができ、かつ前記一辺部（ａ）の開口端部（5a）も包装物（Ｃ）の下端部に密接して、下端開口（３）を閉塞状態に保持することができ、汚れや塵等の侵入を防止できる。
【００２８】
しかも、前記絞り紐（７）の両引き出し端部（7a）（7b）は、前記面ファスナー片（9a）（9b）と前記開口端部（5a）の面ファスナー部材（10）との係合により、該開口端部（5a）に沿って固定されることになるため、該引き出し端部（7a）（7b）がパレット（Ｂ）の側面に垂れ下がる等のおそれがなく、仕舞いがよく、フォークリフトによる移動の邪魔になることがないばかりか、床面に接触して汚れや塵が付着するおそれもない。したがって、内部の包装物（Ｃ）を良好に保護できる。
【００２９】
なお、上記した実施例においては、絞り紐（７）を、開口端部（５）における四周辺部の三辺部の紐通し孔（６）に挿通し、その両端部を一辺部を挟んで対向する隅角部から前記一辺部の側に引き出した場合を示したが、このほか、図６に示すように、絞り紐（７）を開口端部（５）における四周辺部に連続する紐通し孔（６）に挿通し、その両端部（7a）（7b）を一つ隅角部から外側に引き出して、該端部それぞれに取着した面ファスナー片（9a）（9b）を、前記隅角部を挟んで隣接する両辺部の開口端部外側面に付設した面ファスナー部材（10）（10）に対して係合固定するように設けて実施することもできる。
【００３０】
この場合も、上記と同様に、パレット上の包装物に対して包被させた使用状態において、前記引き出し端部（7a）（7b）の垂れ下がりを防止できる上、開口端部（５）を包装物に対して全周に亘って密接させることができ、下端開口を確実に閉塞できて、包装物の保護を良好になすことができる。
【００３１】
本保護カバーは、パレット上に積載されている積載物の場合のほかに、床に積載されている荷物等の保護カバーとしても利用できる。包装されていない物品の保護カバーとしても使用できる。
【００３２】
【発明の効果】
上記したように、本発明の保護カバーによれば、パレット上に積載されている包装物等に対し容易に包被できるとともに、その下端開口を閉塞するために開口端部に配した絞り紐を、面ファスナーの係合を利用して容易にかつ確実に締め付け固定でき、しかもその絞り紐の端部の仕舞いがよくて、余った端部が垂れ下がることがないように処理でき、さらには絞り紐の締め付け度合いを一定にでき、積載包装物等の防汚、防塵保護を良好になすことができる。
【図面の簡単な説明】
【図１】本発明の保護カバーの１実施例を示す斜視図である。
【図２】同上の一部の拡大斜視図である。
【図３】同上の紐通し孔部分の拡大断面図である。
【図４】同上の保護カバーの使用状態の斜視図である。
【図５】同上の一部の拡大斜視図である。
【図６】本発明の保護カバーの他の実施例を示す一部の拡大斜視図である。
【符号の説明】
（Ａ）    保護カバー
（１）    カバー本体
（２）    胴部
（３）    下端開口
（ａ）    一辺部
（５）    開口端部
（5a）    一辺部の開口端部
（5b）（5c）（5d）  ３辺部の各開口端部
（６）    紐通し孔
（７）    絞り紐
（7a）（7b）  引き出し端部
（８）    紐ストッパー
（9a）（9b）  面ファスナー片
（10）    面ファスナー部材
（11）    係合位置決め用の目印
【図１】
0003641744.tif 000002
【図２】
0003641744.tif 000003
【図３】
0003641744.tif 000004
【図４】
0003641744.tif 000005
【図５】
0003641744.tif 000006
【図６】
0003641744.tif 000007